(57)【要約】      （修正有）【課題】クラッチの蓋に対して消音リングを脱着可能であり、必要によって相違する重量を有する消音リングを交換することにより、オートバイの加速を速くすることができるオートバイ用クラッチの蓋を提供する。【解決手段】クラッチ１の伝動軸１１がクラッチ駆動ブロック１２の中心に嵌設されている。クラッチ１の蓋１３がクラッチ駆動ブロック１２の外側に嵌め込む場合には、クラッチ１の蓋１３に設けられた外ねじ段１３１が消音リング２に設けられた内ねじ段２１と螺合する。そして締付方向がクラッチ１の回転方向に対して反対の方向にする。実際の使用にあたっては、例えば競輪用のオートバイの場合には、重量がより重くて厚さがより厚い消音リング２を組付けることで、ハイパワーで加速が速くなる。また、ローパワーのオートバイの場合には、重量がより軽くて厚さがより薄い消音リング２を組付けることで、従来のローパワーのオートバイよりも加速が速くなる。【選択図】図２
0003153420.tif 000002
【実用新案登録請求の範囲】
【請求項１】
伝動軸の駆動により遠心状態にされるクラッチ駆動ブロックを有するオートバイ用クラッチの蓋において、
前記蓋の周面には、外ねじ段が設けられ、
前記外ねじ段に対応する内ねじ段を有する消音リングが少なくとも一つ設けられ、
前記消音リングの締付方向が前記クラッチの回転方向に対して反対方向であることを特徴とするオートバイ用クラッチの蓋。
【請求項２】
前記消音リングの周面には、外ねじ段が設けられ、前記外ねじ段に対応する内ねじ段を有するバランス消音リングが少なくとも一つ設けられ、前記バランス消音リングの締付方向が前記クラッチの回転方向に対して反対方向であることを特徴とする、請求項１に記載のオートバイ用クラッチの蓋。
【請求項３】
前記消音リングの周面の一定範囲には、外ねじ段が設けられ、前記外ねじ段に対応する内ねじ段を有するバランス消音リングが一つ設けられることを特徴とする、請求項１に記載のオートバイ用クラッチの蓋。
【考案の詳細な説明】
【技術分野】
【０００１】
本考案はオートバイ用クラッチの蓋に関し、特に、螺着方式により蓋に組み付けられる消音リングを有し、必要によって相違する重量を有する消音リングを交換することにより、オートバイの加速を速くすることができるオートバイ用クラッチの蓋に関するものである。
【背景技術】
【０００２】
従来のオートバイ用のクラッチは、駆動チューブと、クラッチ駆動具と、受動ユニットと、を含み、駆動チューブの一端がクラッチ駆動具に固定され、受動ユニットの伝動軸が駆動チューブの軸穴に貫入して枢着される。クラッチ駆動具の周面には受動ディスクが嵌め設けられ、受動ディスクの中心に設けられた軸連接部が駆動チューブに貫入して伝動軸と連接する。受動ディスクの外周縁には、クラッチ具の摩擦片が当接し摩擦可能である。
【０００３】
クラッチは更に摩擦具を含む。摩擦具は、連接部と、駆動チューブの軸穴の壁面との間に組み付けられ、接触による摩擦が発生する。
【０００４】
上記したクラッチにおける消音リングの配設形態を図９に示す。図面における消音リングの配設は、消音リング３がクラッチの蓋４（受動ディスク）の周面に締り嵌めされていて、オートバイが高速運転しているときに、締り嵌めされれた消音リング３が脱落し易い。そのため、あるメーカは溶接方式により消音リング３をクラッチの蓋４に固定すね方法を提案した。しかしながら、溶接すると消音リング３がクラッチの蓋４に対して脱着不能になり、必要に応じて交換することができない。
【考案の概要】
【考案が解決しようとする課題】
【０００５】
本考案の主な目的は、クラッチの蓋に対して消音リングを脱着可能であり、必要によって相違する重量を有する消音リングを交換することにより、オートバイの加速を速くすることができるオートバイ用クラッチの蓋を提供することにある。
【課題を解決するための手段】
【０００６】
本考案の請求項１に記載のオートバイ用クラッチの蓋は、伝動軸の駆動により遠心状態にされるクラッチ駆動ブロックを有するオートバイ用クラッチの蓋において、蓋の周面には、外ねじ段が設けられ、外ねじ段に対応する内ねじ段を有する消音リングが少なくとも一つ設けられ、消音リングの締付方向がクラッチの回転方向に反対することを特徴とする。
【０００７】
本考案の請求項２に記載のオートバイ用クラッチの蓋は、消音リングの周面に外ねじ段が設けられ、外ねじ段に対応する内ねじ段を有するバランス消音リングが少なくとも一つ設けられ、バランス消音リングの締付方向がクラッチの回転方向に反対する。
【０００８】
本考案の請求項３に記載のオートバイ用クラッチの蓋は、消音リングの周面の一定範囲に外ねじ段が設けられ、外ねじ段に対応する内ねじ段を有するバランス消音リングが一つ設けられる。
【考案の効果】
【０００９】
本考案のオートバイ用クラッチの蓋によれば、次のような効果が得られる。
（１）クラッチの蓋の周面には、消音リングの内ねじ段に対応する外ねじ段が設けられるので、消音リングが蓋に対して脱着可能である。
【００１０】
（２）オートバイの出力パワーにより、相違する、重量、材質、又は厚さを有する消音リングを交換することができる。そうすると、オートバイの加速を速くすることができる。
【００１１】
（３）蓋の周面に消音リングを螺着することができ、且つ消音リングの周面にバランス消音リングを螺着することができるので、相違する、重量、材質、又は厚さを有する消音リング又はバランス消音リングを交換することができる。そうすると、組合せの変化（バリエーション）が増加する。
【図面の簡単な説明】
【００１２】
【図１】本考案の分解斜視図である。
【図２】本考案の断面図である。
【図３】本考案の断面図である。
【図４】本考案の第１実施形態の分解斜視図である。
【図５】本考案の第１実施形態の断面図である。
【図６】本考案の第２実施形態の断面図である。
【図７】本考案の第３実施形態の断面図である。
【図８】本考案の第４実施形態の断面図である。
【図９】従来のものの断面図である。
【考案を実施するための形態】
【００１３】
以下、本考案の実施の形態を図面に基づいて説明する。
まず、図１を参照する。本考案のクラッチ１は、伝動軸１１の駆動により遠心状態にされるクラッチ駆動ブロック１２を有し、クラッチ駆動ブロック１２が蓋１３に押付けると、ホイルが駆動される。
【００１４】
蓋１３の周面には、外ねじ段１３１が設けられ、外ねじ段１３１に対応する内ねじ段２１を有する消音リング２が少なくとも一つ設けられる。
【００１５】
次に、図２及び図３を参照しながら、本考案の組付方法を説明する。
クラッチ１の伝動軸１１がクラッチ駆動ブロック１２の中心に嵌設されている。クラッチ１の蓋１３がクラッチ駆動ブロック１２の外側に嵌め込んで設けられる場合には、クラッチ１の蓋１３に設けられた外ねじ段１３１が消音リング２に設けられた内ねじ段２１と螺合する。そして消音リング２の蓋１３に対する締付方向がクラッチ１の回転方向に対して反対の方向なっている。実際の使用にあたっては、ユーザは適正な消音リング２を選択して利用することができる。例えば競輪用のオートバイの場合には、重量がより重くて厚さがより厚い消音リング２を組付けることで、ハイパワーで加速が速くなる。また、ローパワーのオートバイの場合には、重量がより軽くて厚さがより薄い消音リング２を組付けることで、従来のローパワーのオートバイよりも加速が速くなる。
【実施例】
【００１６】
次に、図４乃至図８を参照しながら、本考案の実施の形態を説明する。
（第１実施形態）
蓋１３の周面に螺着される消音リング２の周面には、外ねじ段２２が設けられ、外ねじ段２２に対応する内ねじ段２３１を有するバランス消音リング２３が設けられる。必要によって、相違する、重量、材質、又は厚さを有する消音リング２又はバランス消音リング２３を交換することにより、組合せの変化性が増加する。
【００１７】
（第２実施形態）
蓋１３の周面には、消音リング２を複数螺着してもよい。必要によって、相違する、重量、材質、又は厚さを有する消音リング２を交換することにより、オートバイの加速を速くすることができる。
【００１８】
（第３実施形態）
消音リング２の周面には、バランス消音リング２３を複数螺着してもよい。必要によって、相違する、重量、材質、又は厚さを有するバランス消音リング２３を交換することにより、オートバイの加速を速くすることができる。
【００１９】
（第４実施形態）
消音リング２の周面の一定範囲には、外ねじ段２２が設けられ、外ねじ段２２に対応する内ねじ段２３１を有するバランス消音リング２３が設けられる。必要によって、相違する、重量、材質、又は厚さを有する消音リング２又はバランス消音リング２３を交換することにより、組合の変化性が増加する。
【００２０】
本考案は、オートバイ用のクラッチに適用することができる。
【符号の説明】
【００２１】
１：クラッチ、
２：消音リング、
３：消音リング、
４：蓋、
１１：伝動軸、
１２：クラッチ駆動ブロック、
１３：蓋、
２１：内ねじ段、
２２：外ねじ段、
２３：バランス消音リング、
１３１：外ねじ段、
２３１：内ねじ段。
【図１】
0003153420.tif 000003
【図２】
0003153420.tif 000004
【図３】
0003153420.tif 000005
【図４】
0003153420.tif 000006
【図５】
0003153420.tif 000007
【図６】
0003153420.tif 000008
【図７】
0003153420.tif 000009
【図８】
0003153420.tif 000010
【図９】
0003153420.tif 000011